(57)【要約】【課題】大容量記憶部を有する再生装置に記憶されている曲を検索する際に、ユーザによる各曲の認識を容易にして、所望の曲を簡単に検索できる再生装置を得ることを目的とする。【解決手段】この発明に係る再生装置は、複数の曲と、複数の曲の各曲を途中から再生させる開始位置である設定ポイントを指定する設定ポイントデータとを記憶した記憶部と、再生開始信号を受信すると、記憶部に記憶された各曲について、設定ポイントから一定時間を順次再生するように指示する制御部と、制御部からの指示に基づき、記憶部に記憶された曲をオーディオ信号に変換して出力する再生部とを備えた【選択図】図１
2008287770.tif 000002
【特許請求の範囲】
【請求項１】
複数の曲と、前記複数の曲の各曲を途中から再生させる開始位置である設定ポイントを指定する設定ポイントデータを記憶した記憶部と、
再生開始信号を受信すると、前記記憶部に記憶された各曲について、前記設定ポイントから一定時間を順次再生するように指示する制御部と、
前記制御部からの指示に基づき、前記記憶部に記憶された曲をオーディオ信号に変換して出力する再生部と
を備えた再生装置。
【請求項２】
複数の曲と、前記複数の曲の各曲を途中から再生させる開始位置である設定ポイントを指定する設定ポイントデータを記憶した記憶部と、前記複数の曲に個別の付属データとしてユーザにより登録された曲の途中の位置を示した認識ポイントを記憶した記憶部と、
再生開始信号を受信すると、前記記憶部に記憶された各曲について、前記認識ポイントが登録されているか否かを判定し、前記認識ポイントが登録されている場合には、前記認識ポイントを含む一定時間を再生するように指示し、前記認識ポイントが登録されていない場合には、前記設定ポイントから一定時間再生するように指示する制御部と、
前記制御部からの指示に基づき、前記記憶部に記憶された曲をオーディオ信号に変換して出力する再生部と
を備えた再生装置。
【請求項３】
複数の曲と、前記複数の曲の各曲を途中から再生させる開始位置である設定ポイントを指定する設定ポイントデータを記憶した記憶部と、前記複数の曲の各曲に付属する分類情報、再生回数を記憶した記憶部と、
再生開始信号を受信すると、前記分類毎に、最も再生回数の多い曲を選択した後、前記設定ポイントから一定時間再生するように指示する制御部と、
前記制御部からの指示に基づき、前記記憶部に記憶された曲をオーディオ信号に変換して出力する再生部と
を備えた再生装置。
【発明の詳細な説明】
【技術分野】
【０００１】
この発明は、大容量記憶部を備えた再生装置に関する。
【背景技術】
【０００２】
現在の再生装置は、ＨＤＤ（Hard Disk Drive）やメモリ等の大容量記憶部を有するため記憶容量が大幅に増大し、記憶可能な曲数が増加している。このため従来の再生装置には、曲やアルバムを検索する場合、アーティスト名やアルバムタイトル等をディスプレイに表示して、ユーザが所望のものを選択するようにしたものがある。また、大容量記憶部に記憶されている各曲の最初の一定時間を順次再生するようにしたものがある。また、各曲の再生中に、ユーザが特徴を有すると思う部分（特徴部分）を登録しておき、曲の検索時に前記登録された特徴部分を曲毎に順次再生するようにしたものがある（例えば特許文献１参照）。
【０００３】
【特許文献１】特開２０００−４８５４６号公報
【発明の開示】
【発明が解決しようとする課題】
【０００４】
従来の再生装置は、上記のように構成されていたので、アーティスト名やアルバムタイトル等をディスプレイに表示して、ユーザが所望のものを選択するものでは、アーティスト名やアルバムタイトルが分からない場合や、ディスプレイを見ながら選択することができない状況では、ユーザが所望のものを検索することができないという課題があった。また、各曲の最初の一定時間を順次再生するものは、前記一定時間になんら特徴的な部分を有さない場合には、再生されている曲が何の曲であるのかを特定することが困難であるという課題があった。また、特徴部分を登録するものでは、特徴部分を登録しておらず曲が再生されない場合や、登録した特徴部分が長時間である場合には再生時間が長くなる等、曲毎に再生時間が異なり一定しないという問題がある。また、長時間の特徴部分を登録した曲や、特徴部分を複数箇所登録した曲は、トラックアップ等の余分な操作が増えるという課題があった。
【０００５】
この発明は、上記のような課題を解決するためになされたもので、大容量記憶部を有する再生装置に記憶されている曲を検索する際に、ユーザによる各曲の認識を容易にして、所望の曲を簡単に検索できる再生装置を得ることを目的とする。
【課題を解決するための手段】
【０００６】
この発明に係る再生装置は、複数の曲と、複数の曲の各曲を途中から再生させる開始位置である設定ポイントを指定する設定ポイントデータとを記憶した記憶部と、再生開始信号を受信すると、記憶部に記憶された各曲について、設定ポイントから一定時間を順次再生するように指示する制御部と、制御部からの指示に基づき、記憶部に記憶された曲をオーディオ信号に変換して出力する再生部とを備えたものである。
【発明の効果】
【０００７】
この発明によれば、曲の検索を行う場合、曲を設定ポイントから一定時間、順次再生するようにしたので、ユーザによる各曲の認識を容易にして、所望の曲を簡単に検索できるという効果がある。
【発明を実施するための最良の形態】
【０００８】
実施の形態１．
この実施の形態１による再生装置は、記憶部に記憶されている一定の数値データ（以下、設定ポイントデータ）と各曲の付属データとして含まれている演奏時間とに基づいて、複数の曲の各曲を途中から再生させる開始位置（以下、設定ポイント）から一定時間、順次再生するスキャン機能を有している。これは、曲の演奏時間の始めには何ら特徴的な部分を有さない場合が多く、再生されても何の曲であるのかを特定することが困難であるために、各曲の途中の位置から再生を開始させるものである。設定ポイントデータは、例えば曲の演奏時間の始めから１／３に設定される。ユーザがスキャンを開始させる操作を行うと、設定ポイントデータと各曲の演奏時間とに基づいて設定ポイントを指定し、設定ポイントから一定時間、曲が順次再生される（以下、スキャン動作）。なお、前記設定ポイントデータは、曲の演奏時間の始めから１／３の部分に限らず、１／４、１／５等、複数用意しておき、ユーザが前記設定ポイントデータを選択するように構成してもよい。
【０００９】
図１は、この発明の実施の形態１による再生装置１の構成の一例を示した図である。図１の再生装置１は、タッチパネルやキーボードで構成され、ユーザによる操作を受け付けて対応する信号を出力する操作部１１と、ＨＤＤやメモリ等から構成され、複数の曲や前記曲の再生に必要な設定データが記憶された大容量記憶部１３と、操作部１１から出力された信号に基づき、大容量記憶部１３および再生部１４へ必要な指示を行う制御部１２と、制御部１２の指示に基づき、大容量記憶部１３から出力された曲データをオーディオ信号に変換して外部のスピーカ（図示せず）へ出力する再生部１４とを備えている。
【００１０】
図２は、大容量記憶部１３に記憶されたデータを示した図である。大容量記憶部１３には、再生される曲の曲データと、前記曲の再生に必要な設定および設定ポイントデータ等の設定データが記憶されている。
図３は、設定ポイントを用いたスキャン動作時の再生について説明した図であり、設定ポイントから一定時間、例えば１０秒間が再生される。
【００１１】
図４は、この実施の形態１による再生装置１の動作を示したフローチャートである。
ユーザが操作部１１によりスキャン動作を開始させる操作（以下、スキャン操作）を行うと、操作部１１は、スキャン操作に対応した再生開始信号を出力し、制御部１２は、前記信号に基づき、スキャン動作を開始する（ステップＳＴ１１）。始めに、制御部１２は、大容量記憶部１３に設定データとして記憶された設定ポイントのデータを確認する（ステップＳＴ１２）。次に、制御部１２は、大容量記憶部１３に記憶された最初の曲を指定する（ステップＳＴ１３）。
【００１２】
次に制御部１２は、設定ポイントから、それぞれ１０秒間、曲を再生するよう再生部１４へ指示を行い（ステップＳＴ１４）、再生部１４は、指示されたポイントから１０秒間、音楽データをオーディオ信号に変換してスピーカに出力し、曲の再生が行われる（ステップＳＴ１５）。次に、制御部１２は、次の曲の有無を確認し（ステップＳＴ１６）、ステップＳＴ１６にて、次の曲がある場合は、次の曲を指定し（ステップＳＴ１７）、ステップＳＴ１４からステップＳＴ１６までの動作を繰り返し、再生する曲がなくなるまで該動作を繰り返す。
【００１３】
以上のように実施の形態１による再生装置１では、曲の検索を行う場合、大容量記憶部１３に記憶された各曲を設定ポイントから一定時間、順次再生するようにしたので、全ての曲をスキャン動作の対象とすることができるとともに検索時間を短縮することができ、簡単に所望の曲を検索できるという効果がある。なお、実施の形態１では、操作部１１から再生開始信号が出力される構成としたが、図１に示すように再生装置１に受信部１５を設け、外部のリモコン等から再生開始信号が送信される構成としても良い。
【００１４】
実施の形態２．
実施の形態１では、大容量記憶部１３に記憶された設定ポイントデータを用いたスキャン動作について述べたが、この実施の形態２による再生装置は、実施の形態１で用いた設定ポイントデータに加え、ユーザが好みに応じてスキャン動作の際に再生するポイント（以下、認識ポイント）を曲毎に登録することができ、前記認識ポイントを登録した曲は、スキャン動作の際、認識ポイントを含んだ一定時間が再生されるものについて説明する。
【００１５】
図５は、大容量記憶部１３に記憶された曲データのデータ構成を示した図であり、大容量記憶部１３に記憶された各曲データは、音楽データと付属データから構成されている。音楽データは、曲のデータであり、付属データは曲の演奏時間、音楽データのジャンル、アルバムタイトル、アーティスト名、その曲の再生回数、および認識ポイント等のデータである。
【００１６】
図６は、この実施の形態２による再生装置１の認識ポイント登録方法を示したフローチャートである。ユーザは、操作部１１を操作して、曲の再生操作を行うと、操作部１１から、曲の再生操作に対応する信号が出力され、制御部１２は、前記信号に基づき、再生部１４へ、要求のあった曲を再生するように指示し、再生部１４は、大容量記憶部１３から要求のあった曲の音楽データをオーディオ信号に変換して外部スピーカに出力して、曲の再生が始まる（ステップＳＴ２１）。
【００１７】
次に、ユーザは、曲の再生中に、その曲の認識が容易に出来るであろう特徴的なポイントで、操作部１１から認識ポイントの登録操作を行うと（ステップＳＴ２２）、操作部１１から対応する信号が出力される。制御部１２は、前記信号に基づき、再生中の曲の付属データを確認して（ステップＳＴ２３）、既に認識ポイントが登録されているか否かを確認し判定する（ステップＳＴ２４）。ステップＳＴ２４にて、認識ポイントが登録されていると判定された場合、制御部１２は、既に登録されている認識ポイントデータの削除を行い（ステップＳＴ２５）、登録操作されたポイントを認識ポイントとして、付属データに登録を行う（ステップＳＴ２６）。またステップＳＴ２４にて、認識ポイントが登録されていないと判定された場合、制御部１２は、ステップＳＴ２６の動作を行う。なお、認識ポイントの登録操作は、複数の曲を連続して再生しながら行うこともできる。
【００１８】
図７は、認識ポイントにおけるスキャン動作時の再生について説明した図であり、認識ポイントの前後一定時間、例えば認識ポイントの２秒前から１０秒間が再生される。これは、ユーザが認識ポイントを登録する際に曲の途中の特徴的だと感じたポイントから実際に登録操作を行うまでのずれを考慮しているためであり、これによりユーザが意図した特徴的なポイントを確実に再生することができる。
【００１９】
図８は、この実施の形態２による再生装置１の動作を示したフローチャートである。
ユーザが操作部１１によりスキャン操作を行うと、操作部１１は、スキャン操作に対応した再生開始信号を出力し、制御部１２は、前記再生開始信号に基づき、スキャン動作を開始する（ステップＳＴ３１）。始めに、制御部１２は、大容量記憶部１３に設定データとして記憶された設定ポイントのデータを確認する（ステップＳＴ３２）。次に、制御部１２は、大容量記憶部１３に記憶された最初の曲を指定する（ステップＳＴ３３）。次に、制御部１２は、大容量記憶部１３に記憶された最初の曲の付属データを確認して（ステップＳＴ３４）、さらに、付属データに認識ポイントが登録されているか否かを確認し判定する（ステップＳＴ３５）。
【００２０】
次に制御部１２は、ステップＳＴ３５で、認識ポイントが登録されている場合、認識ポイントの２秒前から（ステップＳＴ３６）、ステップＳＴ３５で、認識ポイントが登録されていない場合、設定ポイントから（ステップＳＴ３７）、それぞれ１０秒間、曲を再生するよう再生部１４へ指示を行い（ステップＳＴ３８）、再生部１４は、指示されたポイントから１０秒間、音楽データをオーディオ信号に変換してスピーカに出力し、曲の再生が行われる。次に、制御部１２は、次の曲の有無を確認し（ステップＳＴ３９）、ステップＳＴ３９にて、次の曲がある場合は、次の曲を指定し（ステップＳＴ４０）、ステップＳＴ３４からステップＳＴ３９までの動作を繰り返し、再生する曲がなくなるまで該動作を繰り返す。
【００２１】
以上のように実施の形態２による再生装置１では、大容量記憶部を有する再生装置において、曲の検索を行う場合、ユーザの好みに応じて認識ポイントを曲毎に登録でき、再生の時には、前記認識ポイントを含む一定時間を再生するように構成したので、ユーザが認識ポイントを登録する際に曲の途中の特徴的だと感じるポイントから実際に登録操作をするまでのずれを吸収して、ユーザが意図した特徴的なポイントを確実に再生することができる効果がある。さらに、ユーザによる各曲の認識が容易になり、簡単に所望の曲を検索できるという効果がある。その他の効果は実施の形態１と同様である。
【００２２】
なお、実施の形態２では、認識ポイントの２秒前から１０秒間再生を行う構成としたが、この再生開始のポイントは、認識ポイントの２秒前からに限られない。また再生時間を１０秒間に固定せず、ユーザが好みに応じて変更できるように構成してもよい。また、操作部１１から再生開始信号が出力される構成としたが、図１に示すように再生装置１に受信部１５を設け、外部のリモコン等から再生開始信号が送信される構成としても良い。
【００２３】
実施の形態３．
実施の形態１、２では、大容量記憶部１３に記憶された設定ポイントデータまたは、曲データの付属データにユーザにより登録された認識ポイントデータを用いたスキャン動作について述べたが、この実施の形態３では、大容量記憶部１３に記憶されている曲にそれぞれ付属データとして記憶されているジャンル、アーティスト名等を利用して曲の分類を行い、検索をさらに容易としたものについて説明する。
【００２４】
図９は、実施の形態２における付属データを用いた検索方法の説明を示した図である。
ここでは、図９に示すように、大容量記憶部１３には曲データとして曲Ａ〜曲Ｌが記憶されており、曲Ａ、Ｂ、Ｃはα１、β１に、曲Ｄ、Ｅ、Ｆはα１、β２に、曲Ｇ、Ｈ、Ｉはα２、β３に、曲Ｊ、Ｋ、Ｌはα２、β４にそれぞれ分類されており、各曲Ａ〜曲Ｌの再生回数は、それぞれａ〜ｌであると仮定する。さらに分類αは「ジャンル」、分類βは「アーティスト名」であり、再生回数の大小関係はａ＞ｂ＞ｃ＞ｄ＞ｅ＞ｆ、およびｇ＞ｈ＞ｉ＞ｊ＞ｋ＞ｌであると仮定して、実施の形態３による再生装置の動作について説明を行う。なお、ここでは、実施の形態３のポイントとなる部分のみを説明する。また、スキャン動作については、実施の形態１と同様であるのでその説明を省略する。
【００２５】
ユーザによる操作により操作部１１から再生開始信号が出力されると、制御部１２は、大容量記憶部１３に記憶された曲Ａ〜曲Ｌのそれぞれの付属データを参照して、ジャンルα１に属する曲Ａ〜曲Ｆから最も再生回数の多い曲Ａとジャンルα２に属する曲Ｇ〜曲Ｌのうち最も再生回数の多い曲Ｇとをスキャン動作する。曲Ａおよび曲Ｇがスキャン動作され、ユーザによりジャンルα１が選択されると、操作部１１は前記選択に対応した信号を出力し、制御部１２は、操作部１１から出力された前記信号に基づいてジャンルα１に分類される曲Ａ〜曲Ｆのそれぞれの付属データを参照し、アーティスト名β１に属する曲Ａ〜曲Ｃから最も再生回数の多い曲Ａとアーティスト名β２に属する曲Ｄ〜曲Ｆから最も再生回数の多い曲Ｄとをスキャン動作する。曲Ａおよび曲Ｄがスキャン動作され曲Ａおよび曲Ｄの特徴的部分が再生される。特徴的部分を聴いたユーザによりアーティスト名β１が選択されると、操作部１１は前記選択に対応した信号を出力し、制御部１２は、曲Ａ〜曲Ｃを通常再生するように再生部１４に指示し、再生部１４は、大容量記憶部１３に記憶された曲Ａ〜曲Ｃの再生を行う。
【００２６】
以上のように実施の形態３に示す再生装置では、実施の形態１による再生装置のスキャン動作に加えて、大容量記憶部１３に記憶されている曲にそれぞれ付属データとして記憶されているジャンル、アーティスト名等を利用して曲の分類を行い、曲の検索を行うようにしたので、検索がさらに容易になる効果がある。また、曲の特徴箇所抽出等の複雑なソフト開発を必要とせず、ユーザの操作も最小限にとどめることができる効果がある。その他の効果は実施の形態１と同様である。
【００２７】
なお、実施の形態３では、スキャン動作をする際に、実施の形態１のスキャン動作をする構成としたが、実施の形態２のスキャン動作とする構成にしても良い。また、アーティスト名β１が選択されると、アーティスト名β１に属する曲をすべて再生する構成としたが、アーティスト名β１に属する曲Ａ〜曲Ｃについてもスキャン動作を行い、最終的に１曲だけを再生するように構成してもよい。また、ジャンル（α）のスキャン動作を行い、ユーザによるジャンル（α）の選択操作が行われた後にアーティスト名（β）のスキャン動作をするようにしたが、ジャンル（α）のスキャン動作を行わず、アーティスト名（β）のスキャン動作が可能なように構成しても良い。また、分類αをジャンル、分類βをアーティスト名としたが、ユーザにより任意に分類を変更できるように構成しても良い。また、操作部１１から再生開始信号が出力される構成としたが、図１に示すように再生装置１に受信部１５を設け、外部のリモコン等から再生開始信号が送信される構成としても良い。
【図面の簡単な説明】
【００２８】
【図１】本発明の実施の形態１における再生装置１の構成の一例を示した図である。
【図２】大容量記憶部１３に記憶されたデータを示した図である。
【図３】設定ポイントにおけるスキャン動作時の再生について説明した図である。
【図４】実施の形態１による再生装置１の動作を示したフローチャートである。
【図５】大容量記憶部１３に記憶された曲データのデータ構成を示した図である。
【図６】実施の形態１による再生装置の認識ポイント登録方法を示したフローチャートである。
【図７】認識ポイントにおけるスキャン動作時の再生について説明した図である。
【図８】実施の形態２による再生装置１の動作を示したフローチャートである。
【図９】実施の形態３における付属データを用いた検索方法の説明を示した図である。
【符号の説明】
【００２９】
１  再生装置、１１  操作部、１２  制御部、１３  大容量記憶部（記憶部）、１４  再生部、１５  受信部。
【図１】
2008287770.tif 000003
【図２】
2008287770.tif 000004
【図３】
2008287770.tif 000005
【図４】
2008287770.tif 000006
【図５】
2008287770.tif 000007
【図６】
2008287770.tif 000008
【図７】
2008287770.tif 000009
【図８】
2008287770.tif 000010
【図９】
2008287770.tif 000011